(57)【要約】【課題】本発明は、会員番号のように個人を識別する情報を利用して運動器具毎にその利用者に最適な運動メニューを提供させる運動管理システムを提供することを目的とする。【解決手段】個人識別情報を検出する個人情報検出部（１１）と、個人の体調情報を検出する体調情報検出部（１２）と、前記個人識別情報と該個人識別情報を有する個人の体力情報とを関連付けて記録する個人情報記録部（２２）と、前記個人情報記録部（２２）に記録された体力情報と前記検出された体調情報とに基づいて運動メニューを生成する運動メニュー管理部（２３）と、運動器具を調整する運動器具調整部（１３）と、前記検出された個人識別情報に対応する前記生成された運動メニューに基づいて前記運動器具調整部（１３）を制御する制御部（１６、２１）と、を備える運動管理システム。【選択図】　　　図２
2004073460.tif 000002
【特許請求の範囲】
【請求項１】
個人識別情報を検出する個人情報検出手段と、
前記個人識別情報と該個人識別情報を有する個人の運動メニューとを関連付けて記録する個人情報記録手段と、
運動器具を調整する運動器具調整手段と、
前記検出された個人識別情報に関連付けて記録された前記個人情報記録手段の運動メニューに基づいて前記運動器具調整手段を制御する制御手段と、
を備えることを特徴とする運動管理システム。
【請求項２】
個人識別情報を検出する個人情報検出手段と、
前記個人識別情報と該個人識別情報を有する個人の体力情報とを関連付けて記録する個人情報記録手段と、
前記個人情報記録手段に記録された体力情報に基づいて運動メニューを生成する運動メニュー生成手段と、
運動器具を調整する運動器具調整手段と、
前記検出された個人識別情報に対応する前記生成された運動メニューに基づいて前記運動器具調整手段を制御する制御手段と、
を備えることを特徴とする運動管理システム。
【請求項３】
個人の体調情報を検出する体調情報検出手段をさらに有し、前記個人情報記録手段に記録された体力情報と前記検出された体調情報とに基づいて運動メニューを生成する運動メニュー生成手段と、
前記検出された個人識別情報に対応する前記生成された運動メニューに基づいて前記運動器具調整手段を制御する制御手段と、
を備えることを特徴とする請求項２に記載の運動管理システム。
【請求項４】
個人識別情報を検出する個人情報検出手段と、
運動器具を調整する運動器具調整手段と、
を少なくとも備える運動器具に対し、
前記個人識別情報と該個人識別情報を有する個人の運動メニューとを関連付けて記録する個人情報記録手段が通信を介して接続され、
前記個人情報検出手段で検出される個人識別情報に対応する、前記個人情報記録手段に記録される運動メニューへの参照、及び該運動メニューに基づく前記運動器具調整手段への調整指示を、前記通信を介して行なう制御手段が、
備えられることを特徴とする運動管理システム。
【請求項５】
個人識別情報を検出する個人情報検出手段と、
運動器具を調整する運動器具調整手段と、
を少なくとも備える運動器具に対し、
前記個人識別情報と該個人識別情報を有する個人の体力情報とを関連付けて記録する個人情報記録手段と、
前記個人情報記録手段に記録された体力情報に基づいて運動メニューを生成する運動メニュー生成手段と、
が通信を介して接続され、
前記個人情報検出手段で検出される個人識別情報に対応する、前記個人情報記録手段に記録される体力情報への参照、及び該体力情報に基づいて前記運動メニュー生成手段によって生成された運動メニューに基づく前記運動器具調整手段への調整指示を、前記通信を介して行なう制御手段が、
備えられることを特徴とする運動管理システム。
【請求項６】
個人の体調情報を検出する体調情報検出手段を前記運動器具にさらに備え、
前記運動メニュー生成手段は、前記個人情報記録手段に記録された体力情報と前記体調情報検出手段に検出された体調情報に基づいて運動メニューを生成し、前記個人情報検出手段で検出される個人識別情報に対応する、前記個人情報記録手段に記録される体力情報への参照、前記体調情報検出手段に検出された体調情報の前記運動メニュー生成手段への送信、及び前記記録された体力情報と前記送信された体調情報に基づいて前記運動メニュー生成手段によって生成された運動メニューに基づく前記運動器具調整手段への調整指示を、前記通信を介して行なう制御手段が、
備えられることを特徴とする請求項５に記載の運動管理システム。
【請求項７】
前記体力情報は、運動履歴情報であることを特徴とする請求項２、３、５、または６に記載の運動管理システム。
【請求項８】
前記個人識別情報を有する個人は、該個人を特定する無線識別素子を携帯することを特徴とする請求項１乃至７の何れか一つに記載の運動管理システム。
【請求項９】
各運動器具の利用スケジュールを管理する該運動器具とネットワーク接続されたスケジュール管理手段をさらに備え、
前記制御手段は、さらに、前記運動器具に対する利用者の利用スケジュールを前記スケジュール管理手段に生成させ、該生成した利用スケジュールを前記運動器具にネットワークを介して送信させる、
ことを特徴とする請求項１乃至８の何れか一つに記載の運動管理システム。
【請求項１０】
個人識別情報を検出装置で検出し、
前記検出された個人識別情報に関連付けて記録装置に記録した運動メニューに基づいて運動器具を自動調整する、
ことを特徴とする運動管理方法。
【請求項１１】
個人識別情報と該個人識別情報を有する個人の体力情報とを関連付けて記録装置に記録し、
検出装置で検出される個人識別情報に対応する、前記記録装置に記録された体力情報に基づいて、運動メニューを生成し、
前記生成した運動メニューに基づいて運動器具を自動調整する、
ことを特徴とする運動管理方法。
【請求項１２】
個人識別情報と該個人識別情報を有する個人の体力情報とを関連付けて記録装置に記録し、
運動器具を含む所定領域内に位置する前記個人を自動で特定し、
前記特定された個人の有する個人識別情報に対応する、前記記録装置に記録された体力情報に基づいて、前記個人ごとに運動メニューを生成し、
前記生成した運動メニューに基づいて運動器具を自動調整する、
ことを特徴とする運動管理方法。
【発明の詳細な説明】
【０００１】
【発明の属する技術分野】
本発明は、運動器具を用いた利用者の運動を一元管理する技術に関し、特に利用者に割り当てられた個人識別情報をトリガとして運動器具を個別に設定するシステムまたはその方法に関する。
【０００２】
【従来の技術】従来から、無酸素運動や有酸素運動などの運動に使用されるものとして様々な運動器具が各社で製品化されている。これらの運動器具は、個人的に手軽に使用できる小型のものから、複数種類を所有して複数人で共有して使用される大型のものまで幅広く存在する。そして、登録制のスポーツジムなどにおいては小型の運動器具から大型の運動器具を複数種類所有し、これらを複数人で共有して使用させている。
【０００３】
通常、スポーツジムでは、運動器具の利用者に会員登録をしてもらって利用者に会員番号を付与し、この会員番号の下、受け付けでの入退場管理、月々や年単位での使用料金の支払い管理、または専用端末からの各会員の入力による運動内容の記録が行なわれている。
【０００４】
受け付けを済ませた利用者が運動器具を利用する場合、利用者は未使用の運動器具を探して、使用する運動器具毎に所望の運動メニューを設定して、それから運動を開始する。運動器具に所望の運動メニューを設定する操作は、運動器具毎に組み込まれたプログラムに沿って備え付けの操作画面から行なわなければならず、年齢や体重などの情報や、運動継続時間や負荷レベルなどの情報を、利用者が使用する運動器具毎に設定して、それから運動を開始しなければならない。
【０００５】
なお、運動器具によるが、この操作には複雑なものが多く、通常はインストラクターなどの指導の下で操作を学ぶ。
【０００６】
【発明が解決しようとする課題】
しかし、一度その操作を学んだ利用者は次回から自分で各種設定を行なう場合が多く、その設定内容は利用者の好き好きに設定され、慣れてくるとその操作を簡略化して所定の運動メニューに沿ったものではないワンパターンな設定がなされ、利用者にとっては非常に効率悪い運動が繰り返し行なわれてしまう。例え運動メニューが紙出力されて利用者に手渡されてとしても、運動器具の設定操作は面倒なものであることから、その運動メニューに沿って繰り返し運動器具を設定する利用者の負担は大きく、運動を目的とする利用者にとってはそのことが大きな弊害となってしまう。
【０００７】
また、利用者が目的の運動器具で運動を開始する際、その目的の運動器具が使用中である場合には、いつ他人の使用が終わるか分からない運動器具を次に使用するために待っていたり、他の未使用の運動器具を探したりと、一々注意していなければならず、少ない時間で効率の良い運動を行なうには時間をロスする要素が多すぎる。
【０００８】
そこで本発明は、会員番号のように個人を識別する情報を利用して運動器具毎にその利用者に最適な運動メニューを提供させる運動管理システム及びその方法を提供し、さらに、運動器具全般の利用スケジュールを管理して効率の良い運動を利用者に行なわせることが可能な運動管理システムを提供することを目的とする。
【０００９】
【課題を解決するための手段】
本発明は上記課題を解決するために以下のように構成する。
すなわち本発明の態様の一つは、個人識別情報を検出する個人情報検出手段と、前記個人識別情報と該個人識別情報を有する個人の運動メニュー（例えば、運動器具に設定できる変数の値など）とを関連付けて記録する個人情報記録手段と、運動器具を調整する運動器具調整手段と、前記検出された個人識別情報に関連付けて記録された前記個人情報記録手段の運動メニューに基づいて前記運動器具調整手段を制御する制御手段と、を備えるように構成する。
【００１０】
このように構成することによって、個人識別情報の検出に基づいて、該個人識別情報に関連付けられた運動メニューに応じた設定が運動器具に施される。
また、本発明の他の態様の一つは、個人識別情報を検出する個人情報検出手段と、前記個人識別情報と該個人識別情報を有する個人の体力情報とを関連付けて記録する個人情報記録手段と、前記個人情報記録手段に記録された体力情報に基づいて運動メニュー（例えば、運動器具に設定できる変数の値など）を生成する運動メニュー生成手段と、運動器具を調整する運動器具調整手段と、前記検出された個人識別情報に対応する前記生成された運動メニューに基づいて前記運動器具調整手段を制御する制御手段と、を備えるように構成する。
【００１１】
そして、本構成においては、体力情報を過去に行なった運動実績の情報を扱った運動履歴情報とすることが望ましい。
このように構成することによって、個人識別情報の検出に基づいて該個人識別情報に関連付けられた体力情報を基に該個人識別情報を有する個人の運動メニューが生成され、生成された運動メニューに応じた設定が運動器具に施される。
【００１２】
また、本発明の他の態様の一つは、個人の体調情報を検出する体調情報検出手段をさらに有し、前記個人情報記録手段に記録された体力情報と前記検出された体調情報とに基づいて運動メニュー（例えば、運動器具に設定できる変数の値など）を生成する運動メニュー生成手段と、前記検出された個人識別情報に対応する前記生成された運動メニューに基づいて前記運動器具調整手段を制御する制御手段と、を備えるように構成する。
【００１３】
そして、本構成においては、体力情報を過去に行なった運動実績の情報を扱った運動履歴情報とすることが望ましい。
このように構成することによって、個人識別情報の検出に基づいて該個人識別情報に関連付けられた体力情報と例えばその個人のリアルタイムな心拍数や発汗量などを示す体調情報を基に該個人識別情報を有する個人の運動メニューが生成され、生成された運動メニューに応じた設定（体調情報を加えたことによるより個人にあった設定）が運動器具に施される。
【００１４】
また、本発明の他の態様の一つは、個人識別情報を検出する個人情報検出手段と、運動器具を調整する運動器具調整手段と、を少なくとも備える運動器具に対し、前記個人識別情報と該個人識別情報を有する個人の運動メニュー（例えば、運動器具に設定できる変数の値など）とを関連付けて記録する個人情報記録手段が通信を介して接続され、前記個人情報検出手段で検出される個人識別情報に対応する、前記個人情報記録手段に記録される運動メニューへの参照、及び該運動メニューに基づく前記運動器具調整手段への調整指示を、前記通信を介して行なう制御手段が、備えられるように構成する。
【００１５】
このように構成することによって、個人識別情報の検出に基づいて、通信を介した個人情報記録手段に記録された該個人識別情報と関連付けられた運動メニューに応じた設定が通信を介して運動器具に施される。
【００１６】
また、本発明の他の態様の一つは、個人識別情報を検出する個人情報検出手段と、運動器具を調整する運動器具調整手段と、を少なくとも備える運動器具に対し、前記個人識別情報と該個人識別情報を有する個人の体力情報とを関連付けて記録する個人情報記録手段と、前記個人情報記録手段に記録された体力情報に基づいて運動メニュー（例えば、運動器具に設定できる変数の値など）を生成する運動メニュー生成手段と、が通信を介して接続され、前記個人情報検出手段で検出される個人識別情報に対応する、前記個人情報記録手段に記録される体力情報への参照、及び該体力情報に基づいて前記運動メニュー生成手段によって生成された運動メニューに基づく前記運動器具調整手段への調整指示を、前記通信を介して行なう制御手段が、備えられるように構成する。
【００１７】
そして、本構成においては、体力情報を過去に行なった運動実績の情報を扱った運動履歴情報とすることが望ましい。
このように構成することによって、個人識別情報の検出に基づいて通信を介した運動メニュー生成手段で該個人識別情報に関連付けされた体力情報に応じた運動メニューが生成され、生成された運動メニューに応じた設定が通信を介して運動器具に施される。
【００１８】
なお、本構成においては、個人の体調情報を検出する体調情報検出手段を前記運動器具にさらに備え、前記運動メニュー生成手段は、前記個人情報記録手段に記録された体力情報と前記体調情報検出手段に検出された体調情報に基づいて運動メニューを生成し、前記個人情報検出手段で検出される個人識別情報に対応する、前記個人情報記録手段に記録される体力情報への参照、前記体調情報検出手段に検出された体調情報の前記運動メニュー生成手段への送信、及び前記記録された体力情報と前記送信された体調情報に基づいて前記運動メニュー生成手段によって生成された運動メニューに基づく前記運動器具調整手段への調整指示を、前記通信を介して行なう制御手段が、備えられるように構成してもよい。
【００１９】
そして、本構成においては、体力情報を過去に行なった運動実績の情報を扱った運動履歴情報とすることが望ましい。
このように構成することによって、個人識別情報の検出に基づいて通信を介した運動メニュー生成手段で該個人識別情報に関連付けられた体力情報と例えばその個人のリアルタイムな心拍数や発汗量などを示す体調情報を基に該個人識別情報を有する個人の運動メニューが生成され、生成された運動メニューに応じた設定（体調情報を加えたことによるより個人にあった設定）が通信を介して運動器具に施される。
【００２０】
また、上述した全ての態様において、前記個人識別情報を有する個人は、該個人を特定する無線識別素子（それ自体に個人識別情報が記憶され、無線により相手に該個人識別情報を送信することができる素子）を携帯することが望ましい。
【００２１】
このようにすれば、個人は無線で前記個人識別情報検出手段に特定されるようになる。
また、上述した全ての態様において、各運動器具の利用スケジュールを管理する該運動器具とネットワーク接続されたスケジュール管理手段をさらに備え、前記制御手段は、さらに、前記運動器具に対する利用者の利用スケジュールを前記スケジュール管理手段に生成させ、該生成した利用スケジュールを前記運動器具にネットワークを介して送信させる、ように構成してもよい。
【００２２】
このように構成することによって、運動器具においては、ネットワーク接続される運動器具の利用スケジュールを送信により受け取ることができる。
また、本発明の他の態様の一つは、個人識別情報を検出装置で検出し、前記検出された個人識別情報に関連付けて記録装置に記録した運動メニューに基づいて運動器具を自動調整する、ようにする。
【００２３】
このようにすれば、個人識別情報の検出に基づいて各個人に対応する運動メニューに応じた調整が運動器具に自動で施される。
また、本発明の他の態様の一つは、個人識別情報と該個人識別情報を有する個人の体力情報とを関連付けて記録装置に記録し、検出装置で検出される個人識別情報に対応する、前記記録装置に記録された体力情報に基づいて、運動メニューを生成し、前記生成した運動メニューに基づいて運動器具を自動調整する、ようにする。
【００２４】
このようにすれば、個人識別情報の検出に基づいて各個人に対応する体力情報に基づく運動メニューが生成され、その運動メニューに応じた調整が運動器具に自動で施される。
【００２５】
また、本発明の他の態様の一つは、個人識別情報と該個人識別情報を有する個人の体力情報とを関連付けて記録装置に記録し、運動器具を含む所定領域内に位置する前記個人を自動で特定し、前記特定された個人の有する個人識別情報に対応する、前記記録装置に記録された体力情報に基づいて、前記個人ごとに運動メニューを生成し、前記生成した運動メニューに基づいて運動器具を自動調整する、ようにする。
【００２６】
このようにすれば、運動器具の所定領域内においては、該運動器具によって個人が特定されるようになり、特定された個人に対応する体力情報に基づいて運動メニューが生成され、その運動メニューに応じた調整が運動器具に自動で施される。
【００２７】
【発明の実施の形態】
以下、本発明の実施の形態について図面を参照しながら詳細に説明する。
図１は、本発明の運動管理システムの一実施形態を示す全体構成図である。
【００２８】
同図は、例えばウォーキングやジョギングの運動を目的としたトレッドミルや自転車走行運動を目的としたエアロバイク（登録商標）などの運動器具１と、運動器具１を利用する利用者２と、利用者２の運動を支援する運動管理サーバ３とが、ＬＡＮやイーサネット（登録商標）などのネットワーク４で互いに接続されて構成されている。
【００２９】
同図には示されていないが、この利用者２には、一人一人を識別するための個人識別情報が付与され、運動器具１には、当該運動器具１の利用者２の個人識別情報とその利用者２の体調を示す体調情報とを収集する個人情報収集機能が設けられている。
【００３０】
同図では、運動器具１で収集した当該運動器具１の利用者２の個人識別情報と体調情報とを基に、当該利用者２による当該運動器具１での運動を、運動管理サーバ３からネットワーク４を介して支援する。
【００３１】
図２は、図１の運動器具１と利用者２と運動管理サーバ３における各種機能を示したブロック図である。なお、ここでは任意の運動器具１とその運動器具１の利用者２と運動管理サーバ３との構成を示す。
【００３２】
同図は、個人識別情報検出部１１と体調情報検出部１２と運動器具調整部１３と出力部１４と入力部１５と第一の制御部１６と第二の制御部２１と個人情報記録部２２と運動メニュー管理部２３とで構成されている。
【００３３】
本実施の形態において、個人識別情報検出部１１はＲＦＩＤ（Ｒａｄｉｏ　Ｆｒｅｑｕｅｎｃｙ　Ｉｄｅｎｔｉｆｉｃａｔｉｏｎ）システムで構成し、体調情報検出部１２は無線通信システムで構成するものとする。
【００３４】
このＲＦＩＤシステムは、従来から利用されているデータキャリア技術が適用されるもので、電子的に保持した情報を電磁誘導により非接触で取得する無線通信を実現する。このＲＦＩＤシステムの典型的な構成は、送受信回路と制御回路とアンテナとメモリからなるＲＦＩＤタグと、送受信回路と制御回路とアンテナからなるリーダとで、構成される。そして、リーダがＲＦＩＤタグのメモリの情報を読み取る通信手順は、リーダがＲＦＩＤタグに対して電磁波を送信し、電磁波を受けたＲＦＩＤタグでは、その電磁波に基づく電磁誘導によって生成される電力を使用してメモリに記憶された情報をリーダに送信する。リーダでその送信された情報を受信すると、その情報は、例えば、デジタル変換処理されたり、さらにそのデジタルデータがリーダと接続されたコンピュータなどでデータ処理されたりする。
【００３５】
このように、多くのＲＦＩＤタグは、電磁誘導によって動作に必要な電力が供給されるため、無電源で動作する。また、このＲＦＩＤシステムは、センサ等の他の装置と組み合わせて使用されることにも適している。
【００３６】
さて、このようなＲＦＩＤシステムを適用する場合、図２の個人識別情報検出部１１については、例えば、個人識別情報の一例である数字８桁を組み合わせて構成される個人識別ＩＤがメモリに記憶されたＲＦＩＤタグを、図１の利用者２の腕に巻きつけさせたり首からぶら下げさせたりするなどして利用者２に携帯させるようにし、一方の図１の運動器具１にリーダを取り付けてＲＦＩＤシステムを構成させるなどして、個人識別ＩＤを運動器具１で検出できるようにすることができる。
【００３７】
また、体調情報検出部１２については、例えば、利用者２が携帯するＲＦＩＤタグに利用者２の体調情報を測定する装置、本実施の形態においては心拍数や発汗量などを測定する装置を構成させるなどして、運動器具１に無線で体調情報を送信できるようにする。言うまでもなくこの体調情報は、上記心拍数や発汗量に限られず、例えば血圧や体温や呼吸代謝などの利用者２の体調を認識できる他の情報も含まれ、それらの測定にあたっては各種の測定装置を本実施の形態においてはＲＦＩＤタグに構成すればよい。
【００３８】
なお、本実施の形態において詳細には示さないが、図２の個人識別情報検出部１１においては、図１の運動器具１に、バーコードスキャナや、カードリーダや、例えばキーボードやタッチパネルなどの個人識別ＩＤ入力操作子などを構成して、利用者２に与えられた個人識別ＩＤをバーコード入力やカード入力や手入力などの入力行為に基づいて運動器具１に検出させるようにしてもよい。
【００３９】
また、体調情報検出部１２においては、図１の運動器具１に利用者２の体調情報を測定する装置（例えば、各種センサが有線接続された測定装置など）を構成して、利用者２の体調情報を運動器具１に直接取り込めるようにさせてもよい。
【００４０】
また、図１の利用者２の個人識別ＩＤを記憶する記憶装置とその利用者２の体調情報を測定する測定装置とを共に赤外線通信を行なう送信機に構成し、この送信機を利用者２に携帯させ、他方の運動器具１に赤外線通信を行なう受信機を構成して、上述した各種情報を赤外線を介して利用者２から運動器具１に送信させるようにしてもよい。
【００４１】
以上のように構成することによって、運動器具１の利用者２をその運動器具１で特定することができるようになり、その際、その利用者２の体調情報もその運動器具１に取り込むことができる。
【００４２】
続いて、図２の運動器具調整部１３は図１の運動器具１に構成され、運動器具１のパラメータを設定し、その運動器具１で利用者２が運動を開始できる状態に運動器具１を調整する。このパラメータとは、例えば運動継続時間や運動負荷や運動メニューの処理速度（時間／セット）や運動器具の調節位置など、各運動器具１に設定される変数である。
【００４３】
続いて、図２の出力部１４は、図１の運動器具１に構成され、液晶やＬＥＤなどで構成される表示装置や、印刷装置であり、上記パラメータを設定するための設定用画面や上記パラメータの設定確認画面を表示したり、上記パラメータに設定した内容を印刷したり、運動メニューを印刷したりする。
【００４４】
続いて、入力部１５は、図１の運動器具１に構成され、例えば上記パラメータをマニュアル設定するなど、各種入力用の入力装置である。
続いて、第一の制御部１６は、上記各部（図２の個人識別情報検出部１１と体調情報検出部１２と運動器具調整部１３と出力部１４と入力部１５）の制御、または、本実施の形態においては通信回線を介した、第二の制御部２１の制御を行なう。
【００４５】
続いて、個人情報記録部２２は、本実施の形態においては図１の運動管理サーバ３に構成され、例えば、利用者２の、個人識別ＩＤ、名前や年齢などの個人情報、身長や体重や各部の筋力測定値や持久力測定値などの基礎体力情報、過去に利用した運動器具やその利用日やパラメータの設定内容や実際に運動した運動内容を記録した運動履歴情報、所定時刻ごとに体調情報検出部１２から取得されて通信を介して図１の運動管理サーバ３に送られる体調情報、またはこれから行なう運動の内容（例えば運動継続時間や運動負荷や運動メニューの処理速度や運動器具の調節位置が、個人ごと、運動器具１ごと、などの単位で示される情報）が算出されてなる運動メニューなど、個人別情報を記録する。
【００４６】
続いて、運動メニュー管理部２３は、本実施の形態においては図１の運動管理サーバ３に構成され、例えば個人別情報などに基づいて各個人の運動メニューを生成し、生成した運動メニューを記録する。この運動メニューの生成方法は、例えば、運動履歴情報の最新日時の運動量に所定パーセントを乗じたり、所定時間ごとに変化する体調情報の所定の基準値からの上下動に基づいて運動量を増減させたり、ここでは詳細に示さないが、運動メニューを生成するための種々のアルゴリズムに基づいて運動メニューを生成させてよい。
【００４７】
最後に、第二の制御部２１は、上記各部（図２の個人情報記録部２２、及び運動メニュー管理部２３）の制御、または本実施の形態においては通信回線を介して、第一の制御部１６の制御を行なう。
【００４８】
ここで、図２の個人情報記録部２２に記録される個人別情報の一例として、個人情報管理テーブル及び体調情報管理テーブルを以下に説明する。
図３の（ａ）には、個人情報管理テーブルが示されている。
【００４９】
同図の各項目は、左から、個人識別ＩＤ、名前及び年齢を示す個人情報、身長及び体重を示す基礎体力情報、運動器具及びその利用日及びその運動器具の設定内容を利用した運動器具の数だけ時系列順に繰り返し示す運動履歴情報とで構成され、各レコードは個人識別番号の「０００００００１」から「０００００００３」までしか同図には示されていないが、登録されている個人識別ＩＤに対応するレコードがそのＩＤ番号順に縦に配列されている。
【００５０】
同図の各レコードが有するデータの意味は、仮に個人識別番号「０００００００１」に対応するレコードを例に挙げると、個人識別ＩＤは個人に付与された８桁の数字であり、名前は氏「山田」であり、年齢は現在の年齢「２０歳」であり、身長は「１７０ｃｍ（センチメートル）」であり、体重は「６０ｋｇ（キログラム）」であり、運動器具は、運動器具の名称の一つ「エアロバイク」であり、利用日は運動器具を利用した日付「６月１０日」であり、設定内容は運動器具の設定内容を記号で示したものであり、この後に繰り返し続く運動器具から設定内容のデータは、上記と同様にそれぞれ、運動器具は、運動器具の名称であり、利用日は運動器具を利用した日付であり、設定内容は運動器具の設定内容を記号で示したものとなる。
【００５１】
なお、ここで述べた記号は、例えば、「Ｂ」は、エアロバイクの運動継続時間が１時間で負荷が５０Ｗ（ワット）で、トレッドミルの運動継続時間が３０分で負荷が１００Ｗ（ワット）など、各種の設定値の組み合わせを予め記号で対応させたものである。
【００５２】
また、同図の（ｂ）には、体調情報を記録した体調情報管理テーブルが示されている。
同図は、現在、個人識別ＩＤ「０００００００１」の利用者２が運動を開始する状態にあるものとした場合の例である。ここで運動を開始する状態にあるとは、利用者２が運動器具１の位置に位置して、利用者２の体調情報が運動器具１に送信されており、この送信に基づいて運動器具１の設定が調整されるのを利用者２が待機している状態をいう。
【００５３】
同図の各項目は、左から、個人識別ＩＤ、測定日時、測定時刻、心拍数、発汗量に分けられ、測定日、測定時刻、心拍数、及び発汗量を１セットとして、同図には２回分の測定結果しか示されていないが、本例では体調情報の測定中であれば１分間置きに繰り返し記録されるものとする。同図のレコードに記されている内容の意味は、仮に個人識別番号「０００００００１」に対応するレコードを例に挙げると、個人識別ＩＤは８桁の数字であり、日付は測定日「８月１日」であり、時刻は測定時刻「１０時」であり、心拍数は測定時刻に測定された心拍数「１００回／分」であり、発汗量は測定時刻に測定された測定開始からの発汗量「１０ｃｃ」であり、この後に繰り返し続く日付から発汗量のデータは、上記と同様にそれぞれ、日付は測定日であり、時刻は測定時刻であり、心拍数は測定時刻に測定された心拍数であり、発汗量は測定時刻に測定された測定開始からの発汗量である。
【００５４】
同図には個人識別番号の「０００００００１」から「０００００００３」までのレコードしか示されていないが、登録されている個人識別ＩＤに対応するレコードがそのＩＤ番号順に縦に配列されている。
【００５５】
図４は、図３で示した記録情報に基づいて運動メニュー管理部２３で生成された運動メニューが記録された運動メニューテーブルの一例である。
なお、同図に示す運動メニューテーブルは、個人識別番号「０００００００１」に対する例であり、各利用者の運動メニューは個人識別ＩＤごと上記同様に管理され、特に図示はされていないが、個人識別ＩＤごとに、運動メニューの生成日時も管理できるようになっている。
【００５６】
同図の各項目は、左から、利用対象の運動器具１、その運動器具１に与えられるパラメータの設定値（本例では、運動継続時間及び運動負荷の設定値のみを扱うものとする）、及び利用する運動器具の優先順位で構成され、同図にはエアロバイクの下にトレッドミルに関するレコードしか記されていないが、利用する運動器具の優先順にレコードが縦に配列される。同図の各項目に記されている内容の意味は、仮に運動器具がエアロバイクに対応するレコードを例に挙げると、運動継続時間は「１時間」であり、運動負荷は「５０Ｗ（ワット）」であり、優先順位は優先して利用する順番「１番」である。
【００５７】
なお、図３及び図４に示したテーブルの分け方は一例であり、テーブルを分ける方法やテーブル内に設定する項目や配列は適宜設計してよい。
ここで、上記個人情報管理テーブル及び体調情報管理テーブルを個人情報記録部２２に有し、上記運動メニューテーブルを運動メニュー管理部２３に有する、本発明の実施の形態の運動管理システムの制御を図２のブロック図で示した番号を用いて以下に説明する。
【００５８】
図５は、図１の利用者２が運動器具１を利用する際の運動管理システムの制御の一例である。
先ず、図１において、利用者２が運動器具１周辺の所定領域内に入り、運動器具１に構成されたリーダから発信される電磁波に対して利用者２が携帯するＲＦＩＤタグが反応し、ＲＦＩＤタグのメモリに記憶された８桁の数字からなる個人識別ＩＤが運動器具１のリーダに送信されて運動器具１において個人識別ＩＤが検出されるように、図２の個人識別情報検出部１１で利用者の個人識別ＩＤが検出される（Ｓ５０１）。そして、図１において、利用者２の心拍数と発汗量を示す体調情報が１分置きに利用者２が携帯するＲＦＩＤタグに構成された各種装置で検出されて、所定のタイミングで運動器具１の受信機に送信されるように、図２の体調情報検出部１２で体調情報が検出される（Ｓ５０３）。上記ステップＳ５０１及びステップＳ５０３で検出した各種の情報は、図１において運動器具１から運動管理サーバ３に通信を介して送信されるように、図２の第一の制御部１６から第二の制御部２１へ通信を介して送信される（Ｓ５０５）。ステップＳ５０５で送信された体調情報を、ステップＳ５０５で送信された個人識別ＩＤをキーに個人情報記録部２２の体調情報管理テーブルのその個人識別ＩＤに対応する位置に記録し、ステップＳ５０５で送信された個人識別ＩＤをキーに、図２の個人情報記録部２２に記録される個人情報管理テーブルのその個人識別ＩＤに対応する各種情報と体調情報管理テーブルに記録されたその個人識別ＩＤに対応する体調情報とを基礎情報として運動メニュー管理部２３で運動メニューを生成し、運動メニュー管理部２３の運動メニューテーブルにその個人識別ＩＤと対応させて記録する（Ｓ５０７）。ステップＳ５０７で運動メニューテーブルに記録された運動メニューは、図２の第二の制御部２１から第一の制御部１６へ通信を介して送信される（Ｓ５０９）。第一の制御部１６は、ステップＳ５０９において送信された運動メニューを基に運動器具を調整するよう運動器具調整部１３に指示し、運動器具調整部１３は運動器具のパラメータを設定して運動器具を調整して、運動器具をスタンバイさせる（Ｓ５１１）。
【００５９】
なお、図２の入力部１５から上記動作を停止させる操作を行い、出力部１４の表示装置に表示される運動メニュー設定画面を見ながら入力部１５で運動メニューをマニュアル作成して、第一の制御部１６に運動器具１を調整するよう運動器具調整部１３に指示させるようにしてもよい。この時に作成した運動メニューは運動メニュー管理部２３の運動メニューテーブルに記録させることもできる。
【００６０】
また、今回行なった運動は、運動メニューテーブルに記録された今回の運動メニューを当該運動器具１の運動終了後、例えば図２の入力部１５からの運動停止操作をトリガとして、個人情報記録部２２の個人情報管理テーブルの運動履歴情報に記録させることができる。但し、運動メニューテーブルの設定値は、特に図には示されていないが、予め取り決めたランク表に基づいて、設定された組み合わせを記号化して個人情報記録部２２の運動履歴情報の設定内容の項目に記録させることができる。
【００６１】
また、ステップＳ５０７のタイミングで行なった運動メニューの生成は、例えば、１日の終わりの所定の時刻に次回の運動メニューを予め生成して運動メニュー管理部２３に記録しておき、ステップＳ５０７のタイミングでは、ステップＳ５０５で送信された体調情報を、ステップＳ５０５で送信された個人識別ＩＤをキーに個人情報記録部２２の体調情報管理テーブルのその個人識別ＩＤに対応する位置に記録し、ステップＳ５０５で送信された個人識別ＩＤをキーに、図２の運動メニュー管理部２３に記録される運動メニューテーブルのその個人識別ＩＤに対応する運動メニューと個人情報記録部２２の体調情報とを基礎情報として運動メニュー管理部２３で運動メニューを微調整し、運動メニュー管理部２３の運動メニューテーブルに記録されていた運動メニューに新たに生成された運動メニューを上書きするようにしてもよい。
【００６２】
続いて、運動中も利用者の運動を管理する運動管理システムについて説明する。
図６は、入力部１５から運動開始指示を出した後の運動管理システムの動作フローの一例である。但し、この間も個人識別ＩＤは検出によって特定されているものとする。
【００６３】
先ず、体調情報検出部１２で１分置きに検出される利用者２の体調情報を第一の制御部１６から第二の制御部２１に通信を介して送信し、第二の制御部２１によって個人情報記録部２２の体調情報管理テーブルの所定の個人識別ＩＤに対応する位置にこの体調情報を記録させる（Ｓ６０１）。ステップＳ６０１で体調情報管理テーブルに記録された体調情報と個人情報管理テーブルの当該個人識別ＩＤに対応する各種情報とを基礎情報として運動メニュー管理部２３で運動メニューを逐次生成し、運動メニュー管理部２３の運動メニューテーブルや、図示されてはいないが運動メニューテーブルの設定値を所定時間別に記録できる時間別設定テーブルに、記録する（Ｓ６０３）。ステップＳ６０３で運動メニューテーブルまたは時間別設定テーブルに記録された運動メニューは、図２の第二の制御部２１から第一の制御部１６へ通信を介して送信される（Ｓ６０５）。制御部１６は、ステップＳ６０５において送信された運動メニューを基に運動器具１を調整するよう運動器具調整部１３に指示し、運動器具調整部１３は運動器具のパラメータを設定して運動器具１を調整する（Ｓ６０７）。このステップＳ６０１からステップＳ６０７までの処理は、当該運動器具１の運動を終了するまで（Ｓ６０９）、例えば図２の入力部１５からの運動停止操作があるまで繰り返し行なわれる。
【００６４】
なお、体調情報管理テーブルに記録された体調情報と個人情報管理テーブルの各種情報とを基礎情報として運動メニュー管理部２３で運動メニューを生成するステップＳ６０３においては、体調情報から利用者の極度の疲労を算出した時は、運動を強制的に停止させるようにしてもよい。
【００６５】
図３及び図４に示すテーブル構成で、図５及び図６に示した制御を運動管理システムに行なわせれば、利用者２は何の操作もせずして運動器具１に個人が特定され、その個人に合った運動メニューに基づいて利用する運動器具１が自動調整されるので、利用者２は運動器具１の調整を気にしないで運動に集中でき、運動メニューに沿った効率の良い運動ができるようになる。
【００６６】
次に、運動管理サーバ３にネットワーク接続された各運動器具１の利用をスケジュール管理させる機能を加えた構成について説明する。
図７は、図２に示したブロック構成に加え、運動器具１の利用スケジュールを生成するスケジュール管理部２４が構成されている。
【００６７】
同図のスケジュール管理部２４は、運動管理サーバ３に構成され、運動管理サーバ３にネットワーク接続された各運動器具１の利用状況を管理する。
図８は、図７の構成下における運動管理システムの動作フローの一例を示したものである。なお、各種テーブルには図３及び図５に示されるテーブルが適用され、運動器具１の調整には、図５及び図６に示される動作フローが適用されるものとし、ここでは利用者２の運動メニューの生成後に行なう利用状況確認のみの動作フローについて説明する。
【００６８】
図８において、先ず、運動器具１の個人識別情報検出部１１で個人識別ＩＤが検出される（Ｓ８０１）。ステップＳ８０１で検出された個人識別ＩＤは図２の第一の制御部１６から第二の制御部２１へ通信を介して送信される（Ｓ８０３）。ステップＳ８０３で第二の制御部２１に送信された個人識別ＩＤをトリガとして運動メニュー管理部２３の運動メニューテーブルに記録された全ての個人識別ＩＤに対する各種情報を第二の制御部２１で抽出する（Ｓ８０５）。ステップＳ８０５で抽出した各種の情報をスケジュール管理部２４に送り、例えば後述する図９に示すスケジュール生成アルゴリズムに基づいて各運動器具１の利用スケジュールを生成する（Ｓ８０７）。ステップＳ８０７において、スケジュール管理部２４に生成された利用スケジュールの一覧情報や当該個人識別ＩＤに関係する情報が第二の制御部２１から当該運動器具１または全ての運動器具１に構成される第一の制御部１６に通信を介して送信され、各運動器具１の出力部１４に出力される（Ｓ８０９）。
【００６９】
なお、図８に示す動作フローは、図５に示す動作フローに含ませることもできる。すなわち、図５のステップＳ５０７及びステップＳ５０９の間に図８のステップＳ８０７及びステップＳ８０９の処理を順次行なわせてもよい。
【００７０】
また、スケジュール管理部２４に生成された利用スケジュールの一覧情報や当該個人識別ＩＤに関係する情報は、個人識別ＩＤが検出された運動器具１に対してのみ送るようにしてもよいし、利用されている運動器具１全てに対して送るようにしてもよい。
【００７１】
図９は、図８に示すスケジュール生成アルゴリズムの一例である。
但し、説明を簡単化するために運動メニューの運動継続時間は運動器具１が利用できる時間を時間帯で分けた一つの利用時間枠に納まるものとし、運動器具毎に設定される一つの利用時間枠に利用者は一名しか設定されないものとする。
【００７２】
先ず、スケジュール管理部２４に送られてきた各個人識別ＩＤごとの各種の情報の内、運動メニュー生成日時を参照して生成日時の早い順に個人識別ＩＤとこれに対応する運動メニューの各種情報（運動器具、運動継続時間、優先順位）を１セットとして上から下に並べる（Ｓ９０１）。次に、各個人識別ＩＤ単位で優先順位の項目を見て、ステップＳ９０１において並べられた個人識別ＩＤの順番を維持したまま上記項目の優先順位の高い方から個人識別ＩＤと利用する運動器具及び運動継続時間を抜き出して上から下に並べ替える（Ｓ９０３）。各運動器具に設定された利用時間枠の早い方から、ステップＳ９０３で並べ替えられた順に個人識別ＩＤを埋めていく（Ｓ９０５）。ステップＳ９０５において各利用時間枠に個人識別ＩＤを埋めていく際、同一の利用時間枠に同一の個人識別ＩＤが設定されるかどうかを判断し（Ｓ９０７）、同一の利用時間枠に同一の個人識別ＩＤが設定される場合には、ステップＳ９０３で並べ替えられた順においてその運動器具を利用する直後の個人識別ＩＤを優先させ、それに該当する個人識別ＩＤがない場合はその利用時間枠を飛ばして、上記同一の個人識別ＩＤは次の利用時間枠に埋める（Ｓ９０９）。ステップＳ９０５からステップＳ９０９の処理は、ステップＳ９１１において運動器具と運動継続時間が対応付けられている個人識別ＩＤがなくなると判断されるまで、繰り返し行なわれる。
【００７３】
また、ステップＳ９０７において同一の利用時間枠に同一の個人識別ＩＤが設定されない場合には、ステップＳ９０５で利用時間枠に埋めた状態を維持し、ステップＳ９０９の処理を飛ばして、ステップＳ９１１の処理に移行する。そして、ステップＳ９１１において、運動器具と運動継続時間が対応付けられている個人識別ＩＤが残っていると判断された場合はステップＳ９０５の処理に戻り、運動器具と運動継続時間が対応付けられている個人識別ＩＤがないと判断された場合は本処理を終了する。
【００７４】
上述した一例のように、上記スケジュール生成アルゴリズムの下、各運動器具１の利用スケジュールが生成される。
このように、運動器具１の利用スケジュールを管理し、利用スケジュールの情報を利用者２に送信できるようにすることによって、利用者２は、未使用の運動器具１を探したり、目的の運動器具が使用中である場合には、いつ他人の使用が終わるか分からない運動器具を次に使用するために待っていたり、といった行動をとる必要がなくなり、効率よく運動を行なうことができるようになる。
【００７５】
なお、本実施の形態においては、ネットワーク４を介した運動管理サーバ３から利用者２による運動器具１での運動を支援しているように示されているが、運動管理サーバ３に設けた機能をネットワーク上に分散させて構成してもよい。
【００７６】
また、本実施の形態においては、ネットワーク４を介した運動管理サーバ３から利用者２による運動器具１での運動を支援しているが、各運動器具１に運動管理サーバ３に示した機能を設けてスタンドアロンで管理させてもよい。
【００７７】
この場合、図２の第一の制御部１６と第二の制御部２１とは一体のものとする。
また、本実施の形態に示した体調情報の検出機能は、あることが望ましいものであり、必須ではない。
【００７８】
また、本実施の形態において特に詳細には示さなかったが、利用者２が携帯するＲＦＩＤタグやバーコードタグや赤外線通信装置などの無線識別素子に構成された受信機に対し運動器具側に構成された送信機から情報を送信する機能を利用して、運動器具１から利用者２に各種通知が行なえるようにしてもよい。
【００７９】
また、本実施の形態において、個人識別ＩＤの特定に例えばＩＣカードなどの磁気記録媒体を利用する場合には、図２及び図７の個人識別情報検出部１１として運動器具１にリーダ／ライタ部を構成し、図２及び図７の個人情報記録部２２を磁気記録媒体で構成して、前者の個人識別情報検出部１１に個人識別ＩＤと他の記録情報（個人情報テーブルの内容）を読み取ることができるものとし、同図に示されていないが、後者の個人情報記録部２２の信号線を同図の第二の制御部２１から外して個人識別情報検出部１１と直接、相互に、送受信させるようにしてもよい。なお、上記磁気記録媒体とリーダ／ライタ部との間の信号の送受信は、接触によるもののみに限られず、例えば赤外線通信などの無線通信を利用した非接触によるものであってもよい。
【００８０】
また、本実施の形態において、図１のネットワーク４上に利用者閲覧端末を設けて、利用者閲覧端末から個人情報管理テーブルや運動メニューテーブルなどへの入力操作が行なえるようにしても良い。この利用者閲覧端末にＲＦＩＤシステムなどの個人識別情報検出手段を構成することで、この利用者閲覧端末においても個人を特定できる。
【００８１】
また、本実施の形態において、図１のネットワーク４上に会計システムを設ければ、利用者２が利用する運動器具や利用時間に応じて柔軟に料金を変える課金処理が可能となる。例えば、運動器具１の個人識別情報検出手段１１で検出された個人による、その運動器具１の利用情報（例えば利用した時間など）をデータで管理し、その利用情報に対して課金設定（例えば１０分あたり１００円などの利用料金の設定）に基づく課金処理を行い、利用した運動器具１のトータルの利用料金を算出して利用者に請求する。このような構成にすれば、利用者２は、運動器具１を利用した分だけ料金を支払うので、従来のように１月単位で所定額を支払うよりもより納得できるようになる。そして、料金体系においてもより柔軟に自由に設定することができるようになる。さらに、利用した時間に応じて例えば割引などのサービスを提供することも可能となる。
【００８２】
以上のように、本発明の実施の形態においては、個人識別ＩＤを利用して運動器具毎にその利用者に最適な運動メニューが提供できるようになり、さらに、運動器具全般の利用スケジュールを管理して効率の良い運動を利用者に提供できるようになる。
【００８３】
また、利用者閲覧端末の導入や会計システムを導入することで、スポーツジム内における利用者２の全ての行為を、個人識別情報をキーとして一括管理することができるようになり、この会計システムの導入によってより分かり易い料金体系を利用者２に提供できるようになる。
【００８４】
【発明の効果】
以上述べたように、本発明によれば、会員番号のように個人を識別する情報を利用して運動器具毎にその利用者に最適な運動メニューが提供できるようになり、さらに、運動器具全般の利用スケジュールを管理して効率の良い運動を利用者に提供できるようになる。
【図面の簡単な説明】
【図１】本発明の運動管理システムの一実施形態を示す全体構成図である。
【図２】運動器具１と利用者２と運動管理サーバ３における各種機能を示したブロック図の一例である。
【図３】個人情報管理テーブルと体調情報管理テーブルの一例である。
【図４】運動メニューテーブルの一例である
【図５】利用者２が運動器具１を利用する際の運動管理システムの動作フローの一例である。
【図６】運動開始指示後の運動管理システムの動作フローの一例である。
【図７】図２にスケジュール管理部２４を構成したブロック構成図の一例である。
【図８】図７のブロック構成下における運動管理システムの動作フローの一例である。
【図９】スケジュール生成アルゴリズムの一例である。
【符号の説明】
１１　個人識別情報検出部
１２　体調情報検出部
１３　運動器具調整部
１６　第一の制御部
２１　第二の制御部
２２　個人情報記録部
２３　運動メニュー管理部
【図１】
2004073460.tif 000003
【図２】
2004073460.tif 000004
【図３】
2004073460.tif 000005
【図４】
2004073460.tif 000006
【図５】
2004073460.tif 000007
【図６】
2004073460.tif 000008
【図７】
2004073460.tif 000009
【図８】
2004073460.tif 000010
【図９】
2004073460.tif 000011